(57)【要約】【課題】端末装置を他の機器に接続する場合に、接続の設定等に係る操作の負担を軽減する。【解決手段】ＰＣ２Ａ、２Ｂ、ＰＣ３Ａ、３Ｂ及びプロジェクター１００を含む表示システム１であって、ＰＣ２Ａ、２Ｂは、ＰＣ３Ａ、３Ｂとプロジェクター１００とが通信して実行する機能を定める機能設定データ１４２、１４３を生成し、又はプロジェクター１００に機能設定データ１４２、１４３を生成させ、取得用情報をＰＣ３Ａ、３Ｂへ送信し、又はプロジェクター１００に取得用情報をＰＣ３Ａ、３Ｂへ送信させ、ＰＣ３Ａ、３Ｂは、取得用情報に基づいて機能設定データ１４２、１４３を取得し、機能設定データ１４２、１４３に基づいて接続設定データ１４４を取得し、接続設定データ１４４に基づき接続設定を行い、機能設定データ１４２、１４３に基づきプロジェクター１００との間で実行する処理を設定する。【選択図】図１
2017076077.tif 000002
【特許請求の範囲】
【請求項１】
第１端末装置、第２端末装置及びプロジェクターを含む通信システムであって、
前記プロジェクターは、前記第１端末装置及び前記第２端末装置と通信する通信部を備え、
前記第１端末装置は、
前記プロジェクターと通信を行う第１通信部と、
前記第２端末装置と前記プロジェクターとが通信して実行する機能を定める機能設定情報を生成し、又は前記プロジェクターに前記機能設定情報を生成させ、
前記機能設定情報にアクセスする処理で使用される取得用情報を前記第１通信部により前記第２端末装置へ送信し、又は前記プロジェクターに前記取得用情報を前記第２端末装置へ送信させる第１制御部と、を備え、
前記第２端末装置は、
前記プロジェクターと通信を行う第２通信部と、
前記取得用情報に基づいて前記機能設定情報を取得し、前記機能設定情報に基づいて前記プロジェクターとの接続設定に用いる接続設定情報を取得し、前記接続設定情報に基づき接続設定を行い、前記機能設定情報に基づき前記プロジェクターとの間で実行する処理を設定する第２制御部と、を備えること、
を特徴とする通信システム。
【請求項２】
前記機能設定情報及び前記接続設定情報を記憶する記憶部を備え、
前記取得用情報は、前記記憶部に記憶される前記機能設定情報を特定するパスを含み、
前記機能設定情報は、前記記憶部に記憶される前記接続設定情報を特定するパスを含むこと、
を特徴とする請求項１記載の通信システム。
【請求項３】
前記記憶部は、第１の前記機能設定情報、第２の前記機能設定情報、及び、前記接続設定情報を記憶し、
第１の前記機能設定情報及び第２の前記機能設定情報のそれぞれは、前記記憶部に記憶される前記接続設定情報を特定するパスを含むこと、
を特徴とする請求項２記載の通信システム。
【請求項４】
前記プロジェクターは、前記第１端末装置が受け付ける入力に従って前記機能設定情報を生成し、前記機能設定情報にアクセスするために利用される前記取得用情報を生成し、前記取得用情報を前記通信部により前記第１端末装置に送信する制御部を備え、
前記第１端末装置の前記第１制御部は、前記プロジェクターから送信される前記取得用情報を前記第１通信部により前記第２端末装置に送信すること、
を特徴とする請求項１から３のいずれかに記載の通信システム。
【請求項５】
前記第１端末装置の前記第１制御部は、
入力受付部により入力を受け付け、受け付けた入力に従って前記機能設定情報を生成し、前記機能設定情報にアクセスするために利用される前記取得用情報を生成し、前記取得用情報を前記第１通信部により前記第２端末装置に送信すること、
を特徴とする請求項１から４のいずれかに記載の通信システム。
【請求項６】
前記機能設定情報は、前記プロジェクターと前記第２端末装置とが実行可能な機能のうち一部の機能を実行し、或いは、実行を制限するよう設定する情報を含むこと、
を特徴とする請求項１から５のいずれかに記載の通信システム。
【請求項７】
外部端末装置及びプロジェクターと通信可能な通信部と、
前記外部端末装置と前記プロジェクターとが通信して実行する機能を定める機能設定情報を生成し、前記機能設定情報にアクセスする処理で使用される取得用情報を前記通信部により前記外部端末装置へ送信させる制御部と、
を備えることを特徴とする端末装置。
【請求項８】
プロジェクターと通信可能な通信部と、
外部装置から送信される取得用情報を受信する受信部と、
前記受信部により受信した前記取得用情報に基づいて機能設定情報を取得し、前記機能設定情報に基づいて前記プロジェクターとの接続設定に用いる接続設定情報を取得し、前記接続設定情報に基づき接続設定を行い、前記機能設定情報に基づき前記プロジェクターとの間で実行する処理を設定する制御部と、
を備えることを特徴とする端末装置。
【請求項９】
第１端末装置、第２端末装置及びプロジェクターを含むシステムにおける設定方法であって、
前記第１端末装置又は前記プロジェクターにより、前記第２端末装置と前記プロジェクターとが通信して実行する機能を定める機能設定情報を生成し、
前記第１端末装置により、
前記機能設定情報を取得する処理に用いる取得用情報を前記第２端末装置へ送信し、
前記第２端末装置により、
前記取得用情報に基づいて前記機能設定情報を取得し、
前記機能設定情報に基づいて前記プロジェクターとの接続設定に用いる接続設定情報を取得し、前記接続設定情報に基づき接続設定を行い、
前記機能設定情報に基づき前記プロジェクターとの間で実行する処理を設定すること、
を特徴とする設定方法。
【請求項１０】
第１端末装置、第２端末装置及び通信装置を含む通信システムであって、
前記通信装置は、前記第１端末装置及び前記第２端末装置と通信する通信部を備え、
前記第１端末装置は、
前記通信装置と通信を行う第１通信部と、
前記第２端末装置と前記通信装置とが通信して実行する機能を定める機能設定情報を生成し、又は前記通信装置に前記機能設定情報を生成させ、
前記機能設定情報にアクセスする処理で使用される取得用情報を前記第１通信部により前記第２端末装置へ送信し、又は前記通信装置に前記取得用情報を前記第２端末装置へ送信させる第１制御部と、を備え、
前記第２端末装置は、
前記通信装置と通信を行う第２通信部と、
前記取得用情報に基づいて前記機能設定情報を取得し、前記機能設定情報に基づいて前記通信装置との接続設定に用いる接続設定情報を取得し、前記接続設定情報に基づき接続設定を行い、前記機能設定情報に基づき前記通信装置との間で実行する処理を設定する第２制御部と、を備えること、
を特徴とする通信システム。
【請求項１１】
前記機能設定情報及び前記接続設定情報を記憶する記憶部を備え、
前記取得用情報は、前記記憶部に記憶される前記機能設定情報を特定するパスを含み、
前記機能設定情報は、前記記憶部に記憶される前記接続設定情報を特定するパスを含むこと、
を特徴とする請求項１０記載の通信システム。
【請求項１２】
前記記憶部は、第１の前記機能設定情報、第２の前記機能設定情報、及び、前記接続設定情報を記憶し、
第１の前記機能設定情報及び第２の前記機能設定情報のそれぞれは、前記記憶部に記憶される前記接続設定情報を特定するパスを含むこと、
を特徴とする請求項１１記載の通信システム。
【請求項１３】
前記通信装置は、前記第１端末装置が受け付ける入力に従って前記機能設定情報を生成し、前記機能設定情報にアクセスするために利用される前記取得用情報を生成し、前記取得用情報を前記通信部により前記第１端末装置に送信する制御部を備え、
前記第１端末装置の前記第１制御部は、前記通信装置から送信される前記取得用情報を前記第１通信部により前記第２端末装置に送信すること、
を特徴とする請求項１０から１２のいずれかに記載の通信システム。
【請求項１４】
前記第１端末装置の前記第１制御部は、
入力受付部により入力を受け付け、受け付けた入力に従って前記機能設定情報を生成し、前記機能設定情報にアクセスするために利用される前記取得用情報を生成し、前記取得用情報を前記第１通信部により前記第２端末装置に送信すること、
を特徴とする請求項１０から１３のいずれかに記載の通信システム。
【請求項１５】
前記機能設定情報は、前記通信装置と前記第２端末装置とが実行可能な機能のうち一部の機能を実行し、或いは、実行を制限するよう設定する情報を含むこと、
を特徴とする請求項１０から１４のいずれかに記載の通信システム。
【請求項１６】
前記通信装置は、
画像を表示する表示部と、前記第１端末装置、または前記第２端末装置から送信される画像データに基づき前記表示部に画像を表示させる表示制御部と、を備える表示装置であること、
を特徴とする請求項１０から１５のいずれかに記載の通信システム。
【請求項１７】
外部端末装置及び通信装置と通信を行う通信部と、
前記外部端末装置と前記通信装置とが通信して実行する機能を定める機能設定情報を生成し、前記機能設定情報にアクセスする処理で使用される取得用情報を前記通信部により前記外部端末装置へ送信させる制御部と、
を備えることを特徴とする端末装置。
【請求項１８】
通信装置と通信可能な通信部と、
外部装置から送信される取得用情報を受信する受信部と、
前記受信部により受信した前記取得用情報に基づいて機能設定情報を取得し、前記機能設定情報に基づいて前記通信装置との接続設定に用いる接続設定情報を取得し、前記接続設定情報に基づき接続設定を行い、前記機能設定情報に基づき前記通信装置との間で実行する処理を設定する制御部と、
を備えることを特徴とする端末装置。
【請求項１９】
第１端末装置、第２端末装置及び通信装置を含むシステムにおける設定方法であって、
前記第１端末装置又は前記通信装置により、前記第２端末装置と前記通信装置とが通信して実行する機能を定める機能設定情報を生成し、
前記第１端末装置により、
前記機能設定情報を取得する処理に用いる取得用情報を前記第２端末装置へ送信し、
前記第２端末装置により、
前記取得用情報に基づいて前記機能設定情報を取得し、
前記機能設定情報に基づいて前記通信装置との接続設定に用いる接続設定情報を取得し、
前記接続設定情報に基づき接続設定を行い、
前記機能設定情報に基づき前記通信装置との間で実行する処理を設定すること、
を特徴とする設定方法。
【発明の詳細な説明】
【技術分野】
【０００１】
本発明は、通信システム、端末装置、及び、設定方法に関する。
【背景技術】
【０００２】
従来、表示装置等の機器にＰＣ等の端末装置を接続して、端末装置によって表示装置等を制御するシステムが知られている（例えば、特許文献１参照）。特許文献１記載のシステムでは、プロジェクターおよびＰＣに対してサーバーが識別情報としてＩＰアドレスを割り当てる。ＰＣは、ＵＳＢネットワークまたはＬＡＮ等のネットワークで接続されたプロジェクターを検索し、割り当てられた識別情報に基づいてプロジェクターと通信する。
【先行技術文献】
【特許文献】
【０００３】
【特許文献１】特開２０１１−１４５３３６号公報
【発明の概要】
【発明が解決しようとする課題】
【０００４】
特許文献１記載のように、ＰＣ等の端末装置を他の機器に接続する場合、端末装置が実行するアプリケーションの動作や端末装置に対するユーザーの操作により、接続や設定の処理が必要であった。このため、複数の端末装置を機器に接続する場合は、それぞれの端末装置に対し、接続や設定に関する操作が必要であり、操作の負担が大きく、時間がかかるという問題があった。
【０００５】
本発明は、上述した事情に鑑みてなされたものであり、端末装置を他の機器に接続する場合に、接続の設定等に係る操作の負担を軽減することを目的とする。
【課題を解決するための手段】
【０００６】
上記目的を達成するために、本発明は、第１端末装置、第２端末装置及びプロジェクターを含む通信システムであって、前記プロジェクターは、前記第１端末装置及び前記第２端末装置と通信する通信部を備え、前記第１端末装置は、前記プロジェクターと通信を行う第１通信部と、前記第２端末装置と前記プロジェクターとが通信して実行する機能を定める機能設定情報を生成し、又は前記プロジェクターに前記機能設定情報を生成させ、前記機能設定情報にアクセスする処理で使用される取得用情報を前記第１通信部により前記第２端末装置へ送信し、又は前記プロジェクターに前記取得用情報を前記第２端末装置へ送信させる第１制御部と、を備え、前記第２端末装置は、前記プロジェクターと通信を行う第２通信部と、前記取得用情報に基づいて前記機能設定情報を取得し、前記機能設定情報に基づいて前記プロジェクターとの接続設定に用いる接続設定情報を取得し、前記接続設定情報に基づき接続設定を行い、前記機能設定情報に基づき前記プロジェクターとの間で実行する処理を設定する第２制御部と、を備えること、を特徴とする。
本発明によれば、第１端末装置及び第２端末装置をプロジェクターに接続する際に、第１端末装置によって、第２端末装置とプロジェクターとが通信して実行する機能の設定を行い、第２端末装置をプロジェクターに接続させることができる。これにより、第１端末装置がプロジェクターに接続した後に、他の端末装置を容易にプロジェクターに接続できる。従って、プロジェクターと端末装置とを接続し設定する操作の負担を軽減できる。
【０００７】
また、本発明は、上記通信システムにおいて、前記機能設定情報及び前記接続設定情報を記憶する記憶部を備え、前記取得用情報は、前記記憶部に記憶される前記機能設定情報を特定するパスを含み、前記機能設定情報は、前記記憶部に記憶される前記接続設定情報を特定するパスを含むこと、を特徴とする。
本発明によれば、プロジェクターに接続する端末装置が、プロジェクターに接続するために必要な情報に対し容易にアクセスできる。
【０００８】
また、本発明は、上記通信システムにおいて、前記記憶部は、第１の前記機能設定情報、第２の前記機能設定情報、及び、前記接続設定情報を記憶し、第１の前記機能設定情報及び第２の前記機能設定情報のそれぞれは、前記記憶部に記憶される前記接続設定情報を特定するパスを含むこと、を特徴とする。
本発明によれば、プロジェクターに接続する端末装置が、プロジェクターに接続するために必要な情報に対し容易にアクセスできる。
【０００９】
また、本発明は、上記通信システムにおいて、前記プロジェクターは、前記第１端末装置が受け付ける入力に従って前記機能設定情報を生成し、前記機能設定情報にアクセスするために利用される前記取得用情報を生成し、前記取得用情報を前記通信部により前記第１端末装置に送信する制御部を備え、前記第１端末装置の前記第１制御部は、前記プロジェクターから送信される前記取得用情報を前記第１通信部により前記第２端末装置に送信すること、を特徴とする。
本発明によれば、プロジェクターの機能により、端末装置がプロジェクターに接続するために必要な情報にアクセスする動作を、容易にすることができる。
【００１０】
また、本発明は、上記通信システムにおいて、前記第１端末装置の前記第１制御部は、入力受付部により入力を受け付け、受け付けた入力に従って前記機能設定情報を生成し、前記機能設定情報にアクセスするために利用される前記取得用情報を生成し、前記取得用情報を前記第１通信部により前記第２端末装置に送信すること、を特徴とする。請求項１から４のいずれかに記載の通信システム。
本発明によれば、端末装置の機能により、他の端末装置がプロジェクターに接続するために必要な情報にアクセスする動作を、容易にすることができる。
【００１１】
また、本発明は、上記通信システムにおいて、前記機能設定情報は、前記プロジェクターと前記第２端末装置とが実行可能な機能のうち一部の機能を実行し、或いは、実行を制限するよう設定する情報を含むこと、を特徴とする。
本発明によれば、プロジェクターに接続する端末装置の機能に関する設定を、容易に行うことができる。
【００１２】
また、上記目的を達成するために、本発明の端末装置は、外部端末装置及びプロジェクターと通信可能な通信部と、前記外部端末装置と前記プロジェクターとが通信して実行する機能を定める機能設定情報を生成し、前記機能設定情報にアクセスする処理で使用される取得用情報を前記通信部により前記外部端末装置へ送信させる制御部と、を備えることを特徴とする。
本発明によれば、プロジェクターと端末装置とを接続し設定する操作の負担を軽減できる。
【００１３】
また、上記目的を達成するために、本発明の端末装置は、プロジェクターと通信可能な通信部と、外部装置から送信される取得用情報を受信する受信部と、前記受信部により受信した前記取得用情報に基づいて機能設定情報を取得し、前記機能設定情報に基づいて前記プロジェクターとの接続設定に用いる接続設定情報を取得し、前記接続設定情報に基づき接続設定を行い、前記機能設定情報に基づき前記プロジェクターとの間で実行する処理を設定する制御部と、を備えることを特徴とする。
本発明によれば、プロジェクターと端末装置とを接続し設定する操作の負担を軽減できる。
【００１４】
また、上記目的を達成するために、本発明は、第１端末装置、第２端末装置及びプロジェクターを含むシステムにおける設定方法であって、前記第１端末装置又は前記プロジェクターにより、前記第２端末装置と前記プロジェクターとが通信して実行する機能を定める機能設定情報を生成し、前記第１端末装置により、前記機能設定情報を取得する処理に用いる取得用情報を前記第２端末装置へ送信し、前記第２端末装置により、前記取得用情報に基づいて前記機能設定情報を取得し、前記機能設定情報に基づいて前記プロジェクターとの接続設定に用いる接続設定情報を取得し、前記接続設定情報に基づき接続設定を行い、前記機能設定情報に基づき前記プロジェクターとの間で実行する処理を設定すること、を特徴とする。
本発明によれば、プロジェクターと端末装置とを接続し設定する操作の負担を軽減できる。
【００１５】
また、上記目的を達成するために、本発明は、第１端末装置、第２端末装置及び通信装置を含む通信システムであって、前記通信装置は、前記第１端末装置及び前記第２端末装置と通信する通信部を備え、前記第１端末装置は、前記端末装置と通信を行う第１通信部と、前記第２端末装置と前記通信装置とが通信して実行する機能を定める機能設定情報を生成し、又は前記通信装置に前記機能設定情報を生成させ、前記機能設定情報にアクセスする処理で使用される取得用情報を前記第１通信部により前記第２端末装置へ送信し、又は前記通信装置に前記取得用情報を前記第２端末装置へ送信させる第１制御部と、を備え、前記第２端末装置は、前記通信装置と通信を行う第２通信部と、前記取得用情報に基づいて前記機能設定情報を取得し、前記機能設定情報に基づいて前記通信装置との接続設定に用いる接続設定情報を取得し、前記接続設定情報に基づき接続設定を行い、前記機能設定情報に基づき前記通信装置との間で実行する処理を設定する第２制御部と、を備えること、を特徴とする。
本発明によれば、通信装置と端末装置とを接続し設定する操作の負担を軽減できる。
【００１６】
また、本発明は、上記通信システムにおいて、前記機能設定情報及び前記接続設定情報を記憶する記憶部を備え、前記取得用情報は、前記記憶部に記憶される前記機能設定情報を特定するパスを含み、前記機能設定情報は、前記記憶部に記憶される前記接続設定情報を特定するパスを含むこと、を特徴とする。
本発明によれば、端末装置が通信装置に接続するために必要な情報に対し、容易にアクセスできる。
【００１７】
また、本発明は、上記通信システムにおいて、前記記憶部は、第１の前記機能設定情報、第２の前記機能設定情報、及び、前記接続設定情報を記憶し、第１の前記機能設定情報及び第２の前記機能設定情報のそれぞれは、前記記憶部に記憶される前記接続設定情報を特定するパスを含むこと、を特徴とする。
本発明によれば、端末装置が通信装置に接続するために必要な情報に対し、容易にアクセスできる。
【００１８】
また、本発明は、上記通信システムにおいて、前記通信装置は、前記第１端末装置が受け付ける入力に従って前記機能設定情報を生成し、前記機能設定情報にアクセスするために利用される前記取得用情報を生成し、前記取得用情報を前記通信部により前記第１端末装置に送信する制御部を備え、前記第１端末装置の前記第１制御部は、前記通信装置から送信される前記取得用情報を前記第１通信部により前記第２端末装置に送信すること、を特徴とする。
本発明によれば、通信装置の機能により、端末装置が通信装置に接続するために必要な情報にアクセスする動作を、容易にすることができる。
【００１９】
また、本発明は、上記通信システムにおいて、前記第１端末装置の前記第１制御部は、入力受付部により入力を受け付け、受け付けた入力に従って前記機能設定情報を生成し、前記機能設定情報にアクセスするために利用される前記取得用情報を生成し、前記取得用情報を前記第１通信部により前記第２端末装置に送信すること、を特徴とする。
本発明によれば、端末装置の機能により、他の端末装置が通信装置に接続するために必要な情報にアクセスする動作を、容易にすることができる。
【００２０】
また、本発明は、上記通信システムにおいて、前記機能設定情報は、前記通信装置と前記第２端末装置とが実行可能な機能のうち一部の機能を実行し、或いは、実行を制限するよう設定する情報を含むこと、を特徴とする。
本発明によれば、端末装置が通信装置に接続した場合の機能に関する設定を、容易に行うことができる。
【００２１】
また、本発明は、上記通信システムにおいて、前記通信装置は、画像を表示する表示部と、前記第１端末装置、または前記第２端末装置から送信される画像データに基づき前記表示部に画像を表示させる表示制御部と、を備える表示装置であること、を特徴とする。
本発明によれば、端末装置が送信する画像データに基づき画像を表示する表示装置に端末装置を容易に接続できる。
【００２２】
また、上記目的を達成するために、本発明の端末装置は、外部端末装置及び通信装置と通信を行う通信部と、前記第２端末装置と前記通信装置とが通信して実行する機能を定める機能設定情報を生成し、前記機能設定情報にアクセスする処理で使用される取得用情報を前記通信部により前記外部端末装置へ送信させる制御部と、を備えることを特徴とする。
本発明によれば、通信装置と端末装置とを接続し設定する操作の負担を軽減できる。
【００２３】
また、上記目的を達成するために、本発明の端末装置は、通信装置と通信可能な通信部と、外部装置から送信される取得用情報を受信する受信部と、前記受信部により受信した前記取得用情報に基づいて機能設定情報を取得し、前記機能設定情報に基づいて前記通信装置との接続設定に用いる接続設定情報を取得し、前記接続設定情報に基づき接続設定を行い、前記機能設定情報に基づき前記通信装置との間で実行する処理を設定する制御部と、を備えることを特徴とする。
本発明によれば、通信装置と端末装置とを接続し設定する操作の負担を軽減できる。
【００２４】
また、上記目的を達成するために、本発明は、第１端末装置、第２端末装置及び通信装置を含むシステムにおける設定方法であって、前記第１端末装置又は前記通信装置により、前記第２端末装置と前記通信装置とが通信して実行する機能を定める機能設定情報を生成し、前記第１端末装置により、前記機能設定情報を取得する処理に用いる取得用情報を前記第２端末装置へ送信し、前記第２端末装置により、前記取得用情報に基づいて前記機能設定情報を取得し、前記機能設定情報に基づいて前記通信装置との接続設定に用いる接続設定情報を取得し、前記接続設定情報に基づき接続設定を行い、前記機能設定情報に基づき前記通信装置との間で実行する処理を設定すること、を特徴とする。
本発明によれば、通信装置と端末装置とを接続し設定する操作の負担を軽減できる。
【００２５】
また、上述したプロジェクター、通信装置、或いは端末装置がコンピューターを用いて構築される場合、上記形態は、その機能を実現するためのプログラム、あるいは当該プログラムを前記コンピューターで読み取り可能に記録した記録媒体等の態様で構成することも可能である。記録媒体としては、フレキシブルディスクやＨＤＤ（Hard Disk Drive）、ＣＤ?ＲＯＭ（Compact Disk Read Only Memory）、ＤＶＤ（Digital Versatile Disk）、Ｂｌｕ?ｒａｙ（登録商標）  Ｄｉｓｃ、光磁気ディスク、不揮発性メモリーカード、画像表示装置の内部記憶装置（ＲＡＭ（Random Access Memory）やＲＯＭ（Read Only Memory）等の半導体メモリー）、および外部記憶装置（ＵＳＢ（Universal Serial Bus）メモリー等）等、前記コンピューターが読み取り可能な種々の媒体を利用することができる。
【図面の簡単な説明】
【００２６】
【図１】実施形態に係る表示システムの概略構成を示す図。
【図２】ＰＣの機能ブロック図であり、（Ａ）はホストユーザーが操作するＰＣの構成を示し、（Ｂ）はゲストユーザーが操作するＰＣの構成を示す。
【図３】設定用のウェブページの構成例を示す図であり、（Ａ）はネットワークに接続されたプロジェクターの探索結果を示す探索結果画面の構成例を示し、（Ｂ）は設定項目に関する入力を行う設定画面の構成例を示す。
【図４】プロジェクターの機能ブロック図。
【図５】表示システムの動作を示すフローチャートであり、（Ａ）及び（Ｂ）はＰＣの動作を示し、（Ｃ）はプロジェクターの動作を示す。
【発明を実施するための形態】
【００２７】
以下、図面を参照して本発明の実施形態について説明する。図１は、表示システム１の概略構成を示す図である。
表示システム１（通信システム）は、プロジェクター１００と、ネットワーク５を介してプロジェクター１００に接続する複数のＰＣ２Ａ、２Ｂ、３Ａ、３Ｂを備える。
【００２８】
ＰＣ２Ａ、２Ｂは、プロジェクター１００に対する機能の設定等を行うことが可能な、比較的習熟度が高いホストユーザーが操作する端末装置である。ＰＣ２Ａ、２Ｂを総称してＰＣ２と表記する。これに対し、ＰＣ３Ａ、３Ｂはゲストユーザーが操作する端末装置である。ＰＣ３Ａ、３Ｂを総称してＰＣ３と表記する。
【００２９】
表示システム１では、ＰＣ２、３がプロジェクター１００に接続して、画像データを送信することにより、プロジェクター１００に画像を投射させることができる。ＰＣ２、３を最初にプロジェクター１００に接続する場合には、ＰＣ２、３のそれぞれが、ネットワーク５を介してプロジェクター１００に接続する処理、及び、プロジェクター１００と通信を行って設定を行う処理が行われる。
【００３０】
表示システム１では、ＰＣ２、３を使用するユーザーが、ＰＣ２、３からプロジェクター１００に接続するために必要な情報を入力する操作を行い、ＰＣ２、３をプロジェクター１００に接続させることができる。また、表示システム１では、ＰＣ２、３がプロジェクター１００に接続するために必要な情報を、接続設定データ１４４としてプロジェクター１００が記憶する。接続設定データ１４４は、例えば、ネットワーク５においてプロジェクター１００を特定する情報を含む。表示システム１がＩＰ（Internet Protocol）を使用する場合、接続設定データ１４４は、プロジェクター１００のＩＰアドレスを含む。また、後述するようにプロジェクター１００がＷｉ−Ｆｉ（登録商標）によりネットワーク５に接続される場合、接続設定データ１４４は、ＳＳＩＤ（Service Set Identifier）を含んでもよい。また、ＰＣ２、３がプロジェクター１００に接続する際にパスワードやユーザーＩＤ等のセキュリティ情報を必要とする場合、接続設定データ１４４に、セキュリティ情報を含んでもよい。
この接続設定データ１４４を、ＰＣ２、３により取得し、参照することで、ユーザーがＰＣ２、３からプロジェクター１００に接続するために必要な情報を入力する操作を省略できる。接続設定データ１４４は、予めプロジェクター１００の操作により記憶されてもよい。また、ＰＣ２ＡまたはＰＣ２Ｂの操作により接続設定データ１４４が生成され、プロジェクター１００に送信され、プロジェクター１００が記憶してもよい。
【００３１】
ＰＣ２Ａ、２Ｂ、３Ａ、３Ｂは、本実施形態では複数のグループに分類され、一方のグループを「ソリューションＡ」とし、他方のグループを「ソリューションＢ」とする。
ソリューションＡにはＰＣ２Ａ、３Ａが属する。ソリューションＢにはＰＣ２Ｂ、３Ｂが属する。ソリューションＡ、Ｂのそれぞれは、プロジェクター１００との間で実行する通信の内容や、プロジェクター１００に対して実行する処理内容や機能を設定できる。これらの設定を、機能設定と呼ぶ。機能設定は、例えば、プロジェクター１００に対する画像データの送信の可否、カメラ１５４（図４）で撮像された撮像画像データの受信の可否、プロジェクター１００との間で送受信するデータの暗号化の要否などに関する設定を含む。機能設定の内容は、ソリューションＡとソリューションＢとで独立して設定できる。
ソリューションＡに属するＰＣ２Ａ、及びＰＣ３Ａは、共通する機能設定を使用する。つまり、ＰＣ２ＡとＰＣ３Ａの両方において、同一の機能設定を行う必要がある。ソリューションＢに属するＰＣ２ＢとＰＣ３Ｂについても同様に、共通の機能設定を行う必要がある。機能設定の内容は、ユーザーがＰＣ２、３を操作して入力することができるが、この操作をより容易にするため、機能設定データ１４２、１４３を利用できる。
【００３２】
表示システム１では、ホストユーザーがＰＣ２を操作して設定を行うと、機能設定の内容に対応する機能設定データ１４２、１４３が、ＰＣ２またはプロジェクター１００の機能により生成され、プロジェクター１００に記憶される。本実施形態では、ＰＣ２が機能設定データ１４２、１４３を生成して、プロジェクター１００に記憶させる構成を例示する。ゲストユーザーが操作するＰＣ３は、機能設定データ１４２、１４３を参照することにより、簡単な操作によりＰＣ２と同様の設定を行える。
例えば、ソリューションＡに属するＰＣ２Ａをホストユーザーが操作して機能設定の内容を入力すると、機能設定の内容に対応する機能設定データ１４２をＰＣ２Ａが生成し、プロジェクター１００により機能設定データ１４２が記憶される。ＰＣ３Ａをプロジェクター１００に接続する際に、ＰＣ３Ａにより機能設定データ１４２を取得し、参照することで、ＰＣ２Ａと同じ機能設定を行うことができ、ユーザーの入力操作の一部または全部を省略できる。同様に、ＰＣ２Ｂで機能設定を行うとソリューションＢに対応する機能設定データ１４３が生成されプロジェクター１００に記憶される。ＰＣ３Ｂは、機能設定データ１４３を参照することで、ＰＣ２Ｂと同じ内容の機能設定を行える。
【００３３】
表示システム１において、ＰＣ２Ａ、２Ｂは第１端末装置に相当し、ＰＣ３Ａ、３Ｂは第２端末装置に相当する。ソリューションＡにおいてＰＣ２Ａが端末装置に相当する場合、ＰＣ３Ａは外部端末装置に相当し、ＰＣ３Ａが端末装置に相当する場合にはＰＣ２Ａは外部装置に相当する。同様に、ソリューションＢにおいてＰＣ２Ｂが端末装置に相当する場合にＰＣ３Ｂは外部端末装置に相当し、ＰＣ３Ｂが端末装置に相当する場合にはＰＣ２Ｂは外部装置に相当する。機能設定データ１４２、１４３は、それぞれ、機能設定情報に相当し、機能設定データ１４２は第１の機能設定情報に相当し、機能設定データ１４３は第２の機能設定情報に相当する。接続設定データ１４４は、接続設定情報に相当する。プロジェクター１００は、表示装置、及び、通信装置に相当する。
【００３４】
ネットワーク５は、ＰＣ２、３及びプロジェクター１００を相互にデータ通信可能に接続する通信ネットワークである。ネットワーク５は、遠隔地を接続できる公衆回線網等の広域通信回線であってもよいし、特定の施設や建物内に敷設されたＬＡＮ（Local Area Network）等の構内通信回線であってもよく、ネットワーク５の具体的態様は何ら制限されない。
【００３５】
また、プロジェクター１００は、接続用プログラム１４１を記憶する。接続用プログラム１４１は、ＰＣ２、３がプロジェクター１００からダウンロードして実行するアプリケーションプログラムであり、ＰＣ２、３がプロジェクター１００と通信するために利用される。すなわち、接続用プログラム１４１は、ＰＣ２、３により実行されることで、通信先のデバイスとしてプロジェクター１００を認識し、プロジェクター１００に対して画像データを送信し、その他の設定等を行う機能等を実現する。
【００３６】
図２は、ＰＣ２、３の機能ブロック図である。図２（Ａ）はホストユーザーが操作するＰＣ２の構成を示し、図２（Ｂ）はゲストユーザーが操作するＰＣ３の構成を示す。
図２（Ａ）に示すように、ＰＣ２は、制御部２０、入力部２６（入力受付部）、表示制御部２７、通信部２８、及び記憶部３０を備え、これらの各部はバス２９に接続される。図２（Ａ）に示すＰＣ２の構成は、ＰＣ２Ａ、及びＰＣ２Ｂに共通する。
制御部２０は、ＣＰＵ等のプロセッサー、不揮発性のＲＯＭ、一時記憶領域を形成するＲＡＭを備える。制御部２０のプロセッサーは、ＲＯＭが記憶する基本制御プログラムを実行することにより、ＰＣ２を制御する。この場合、制御部２０のプロセッサーは、プログラムを実行してＰＣ２を制御するコンピューターに相当する。
【００３７】
入力部２６は、キーボードやマウス等の図示しない入力デバイスに接続される。入力部２６は、入力デバイスがユーザーにより操作された場合に、操作を検出し、操作に対応する操作データを生成して制御部２０に出力する。
表示制御部２７は、液晶ディスプレイ等の図示しない表示装置に接続される。表示制御部２７は、入力部２６により入力された情報や制御部２０の処理結果等を示す表示信号を表示装置に出力し、表示信号によって表される画像を表示装置が備える表示画面に表示させる。
通信部２８は、データ通信を行う通信インターフェイスを備える。通信部２８は、モジュラケーブル等を接続可能なコネクター及び有線通信インターフェイス回路を含む有線通信インターフェイスであってもよい。また、通信部２８は、図示しないアンテナやＲＦ（Radio Frequency）回路等を含む無線通信インターフェイスであってもよい。通信部２８は、ネットワーク５に接続され、制御部２０の制御に従ってネットワーク５を介したデータ通信を実行する。ＰＣ２の通信部２８は、第１通信部に相当する。また、ＰＣ３の通信部２８は第２通信部に相当する。ＰＣ２の制御部２０は第１制御部に相当し、ＰＣ３の制御部２０は第２制御部に相当する。
【００３８】
また、制御部２０のプロセッサーは、記憶部３０が記憶する各種のプログラムを実行し、記憶部３０及びＲＯＭ（図示略）が記憶するデータを処理する。
記憶部３０は、磁気的記憶媒体や半導体記憶素子を備え、プログラムやデータを記憶する不揮発性の記憶装置である。記憶部３０は、制御部２０のプロセッサーが実行するプログラムとして、オペレーティングシステム３１、接続用プログラム３２、ブラウザープログラム３３及びメッセージングクライアント３４を、制御部２０により読み取り可能に記憶する。オペレーティングシステム３１、ブラウザープログラム３３、及びメッセージングクライアント３４は、所定の操作により予めＰＣ２にインストールされ、制御部２０が実行可能な状態で記憶部３０に記憶される。また、接続用プログラム３２はプロジェクター１００からダウンロードされて記憶部３０に記憶される。本実施形態では、ＰＣ２、及び後述するＰＣ３は、既に接続用プログラム３２をダウンロードしインストールした状態として説明する。
【００３９】
制御部２０は、オペレーティングシステム３１を実行することにより、オペレーティングシステム２１として機能する。オペレーティングシステム２１は、ネットワーク５を介する通信機能、入力部２６により入力操作を検出し、表示制御部２７により処理結果を出力するＩ／Ｏ機能等を備える。また、オペレーティングシステム２１は、通信部２８を制御してデータ通信を行う機能を有する。
オペレーティングシステム２１は、アプリケーションプログラムを実行する実行環境を提供する。このため、制御部２０のプロセッサーが実行する接続用プログラム３２、ブラウザープログラム３３、及びメッセージングクライアント３４は、オペレーティングシステム２１上で実行される。
【００４０】
制御部２０は、ブラウザープログラム３３を実行して、ウェブブラウザー２２として機能する。ウェブブラウザー２２は、オペレーティングシステム２１の機能によりネットワーク５に接続し、ネットワーク５を介して、入力部２６の操作により指定されるＵＲＬ（Uniform Resource Locator）に従ってウェブサーバーに接続する。本実施形態の表示システム１では、プロジェクター１００がウェブサーバーとして動作する。ウェブブラウザー２２は、ＨＴＴＰプロトコルやＦＴＰプロトコルによりプロジェクター１００にアクセスし、ウェブページのデータやプログラムをダウンロードする。
例えば、ウェブブラウザー２２は、プロジェクター１００から接続用プログラム３２をダウンロードし、記憶部３０に記憶する。制御部２０が接続用プログラム３２を実行すると、プロジェクター１００を画像データの送信先のデバイスとして認識し、その後は、プロジェクター１００との間のデータ通信を実行可能となる。
【００４１】
制御部２０は、メッセージングクライアント３４を実行することにより、メッセージ処理部２３として機能する。メッセージ処理部２３は、オペレーティングシステム２１の機能により、ネットワーク５を介して接続されるメッセージサーバー６と通信を実行する。メッセージ処理部２３は、メッセージサーバー６とデータ通信を行うことにより、電子メール等のメッセージデータを送受信する。具体的には、メッセージ処理部２３は、入力部２６の操作に従って生成されるメッセージデータをメッセージサーバー６に送信する。このメッセージデータは、メッセージに付加された宛先データに従ってメッセージサーバー６により中継され、宛先データにより指定された他のＰＣ２、或いはＰＣ３により受信される。
また、メッセージ処理部２３は、メッセージサーバー６を介してメッセージデータを受信して、メッセージデータに含まれるテキストやデータや画像データ等を、表示制御部２７により表示させる。メッセージ処理部２３が受信したメッセージデータに含まれるテキストデータや画像データ等のデータは、ウェブブラウザー２２が利用することも可能である。
【００４２】
また、制御部２０は、接続用プログラム３２を実行することにより、設定実行部２４及び画像データ送受信部２５として機能する。
設定実行部２４は、入力部２６の操作に従って、ネットワーク５を介して通信可能なプロジェクター１００を探索し、探索結果を示す画面を表示制御部２７により表示させる。設定実行部２４は、入力部２６の操作に従って設定対象のプロジェクター１００を選択する。
【００４３】
図３は、設定実行部２４の機能により表示される設定用のウェブページの構成例を示す図である。図３（Ａ）はネットワーク５に接続されたプロジェクター１００の探索結果を示す探索結果画面２０１の構成例を示し、図３（Ｂ）は設定項目に関する入力を行うオプション設定画面２１１の構成例を示す。なお、図３（Ａ）、（Ｂ）に示す探索結果画面２０１及びオプション設定画面２１１は具体的な一例を示しており、各画面に表示される項目や画面における配置状態は任意に変更可能である。探索結果画面２０１及びオプション設定画面２１１に配置される各ボタン及びチェックボックスは、ソフトウェアの機能により表示され、ホストユーザーが操作する操作部（操作子）として機能する。
【００４４】
探索結果画面２０１には、ネットワーク５を介して接続可能なプロジェクター１００が一覧表示される。図３（Ａ）に示す探索結果画面２０１には、探索結果として、接続可能なプロジェクター１００を一覧表示する結果表示部２０３が配置される。この例では、結果表示部２０３に、２台のプロジェクター１００が表示され、それぞれのプロジェクター１００について、プロジェクター名、ＳＳＩＤ、ＩＰアドレスが表示される。また、探索結果画面２０１には、結果表示部２０３に一覧表示されるプロジェクター１００からいずれか１のプロジェクター１００を選択するチェックボックス２０４が配置される。ホストユーザーは、入力部２６を操作してチェックボックス２０４にチェックを付すことで、接続及び設定を行う対象のプロジェクター１００を選択できる。
【００４５】
探索結果画面２０１には、各種機能の実行を指示するボタンが配置される指示部２０２が配置される。例えば、指示部２０２には、プロジェクター１００の探索を指示する自動検索ボタン、指定された条件に適合するプロジェクター１００の探索を指示する指定探索ボタン等が配置される。また、指示部２０２にはプロファイルボタンが配置される。プロファイルとは、探索結果画面２０１に基づいてＰＣ２が接続するプロジェクター１００に関する情報であり、具体的には、プロジェクター名、ＳＳＩＤ、ＩＰアドレス等の情報を含む。ＰＣ２は、後述する接続指示ボタン２０５の操作によりプロジェクター１００への接続が指示され、プロジェクター１００に接続する際に、接続するプロジェクター１００に関する情報を取得してプロファイルを生成する。プロファイルはＰＣ２が接続可能なプロジェクター１００のうち１のプロジェクター１００を特定できる情報である。従って、ＰＣ２は、既に作成されたプロファイルに該当するプロジェクター１００を探索して接続する動作を実行できる。指示部２０２のプロファイルボタンは、既に作成されたプロファイルの参照、取得を指示するボタンである。
【００４６】
また、探索結果画面２０１には、結果表示部２０３の表示の更新を指示するボタン等が配置されたリスト操作部２０６、及び、チェックボックス２０４で選択されたプロジェクター１００への接続を指示する接続指示ボタン２０５が配置される。
図３（Ａ）の例では、リスト操作部２０６には、結果表示部２０３の表示の更新を指示する「リストの更新」ボタン、結果表示部２０３の表示のクリア（消去）を指示する「リストのクリア」ボタンが配置される。これらのボタンの操作により、ホストユーザーは、探索結果の消去の指示、探索の再実行および探索結果の更新の指示を行える。
また、リスト操作部２０６には、チェックボックス２０４で選択されたプロジェクター１００に関するプロファイルの作成および保存を指示する「プロファイルに保存」ボタンが配置される。
【００４７】
また、探索結果画面２０１には、付加設定部２０７が配置される。付加設定部２０７は、プロジェクター１００との接続に関する設定を行うことが可能な操作部を有する。図３（Ａ）の例では、割り込み接続の禁止、及び、マルチディスプレーの使用について設定が可能である。ＰＣ２は、チェックボックス２０４により選択されたプロジェクター１００に接続する場合に、付加設定部２０７における設定に従う。
【００４８】
割り込み接続は、ＰＣ２がプロジェクター１００と接続した場合に、ネットワーク５に接続する他の機器（例えば、他のＰＣ２やＰＣ３）が、当該プロジェクター１００に接続する機能である。付加設定部２０７において「割り込み接続の禁止」項目のチェックボックスにチェックが付された場合、プロジェクター１００とＰＣ２との接続は、割り込み接続が禁止される。この状態でプロジェクター１００とＰＣ２が接続すると、プロジェクター１００及び／又はＰＣ２は、他の機器による割り込み接続を拒否する。マルチディスプレーは、プロジェクター１００が複数のＰＣ２、３に接続し、これら複数のＰＣ２、３がプロジェクター１００に送信する画面を同時に、プロジェクター１００が投射する機能である。付加設定部２０７において「マルチディスプレーの使用」項目のチェックボックスにチェックが付された場合、プロジェクター１００は、ＰＣ２と接続した後で、他のＰＣとの接続が可能な状態となる。また、他のＰＣが接続した場合、プロジェクター１００はマルチディスプレーの表示を行う。
【００４９】
また、探索結果画面２０１にはオプション設定ボタン２０８が配置される。オプション設定ボタン２０８の操作に応じて、設定実行部２４は、表示制御部２７によりオプション設定画面２１１を表示させる。
【００５０】
図３（Ｂ）のオプション設定画面２１１には、設定項目が一覧表示される設定表示部２１２、２１４、各設定項目の要否を指定するチェックボックス２１３及びラジオボタン２１５が配置される。
ホストユーザーは、入力部２６によって、チェックボックス２１３にチェックを付し、或いはチェックを外す操作、または、ラジオボタン２１５を選択する操作を行うことで、各種項目に対する設定を行える。
図３（Ｂ）の例では、設定表示部２１２に、ＰＣ２とプロジェクター１００との間で全画面動画転送を使うか否かの設定、暗号化通信を行うか否かの設定、及び、起動時に接続モード選択画面を表示するか否かの設定を行える。それぞれの設定項目の可否は、チェックボックス２１３により設定される。
また、設定表示部２１４では、ＰＣ２の起動時にプロジェクター１００を検索する、起動時の検索方法について３つの設定項目のいずれかを選択可能である。具体的には、ＰＣ２の起動時に自動検索を行う設定、起動後に検索方法をホストユーザーの操作により指定する設定、前回使用したネットワーク設定でプロジェクター１００を検索する設定のいずれかを選択できる。これら３通りの設定から、ホストユーザーがラジオボタン２１５を用いていずれかを選択する。
【００５１】
また、オプション設定画面２１１は複数のタブで構成され、図３（Ｂ）には「一般設定」タブを示す。この「一般設定」タブのほか、「パフォーマンス調整」タブ、及び「音声出力」タブを利用できる。「パフォーマンス調整」タブを開くと、ホストユーザーは、プロジェクター１００における表示品質と処理速度のバランスの設定を行うことができ、「音声出力」タブを開くと、プロジェクター１００による音声出力に関する設定を行うことができる。
【００５２】
探索結果画面２０１やオプション設定画面２１１を表示し、設定を行う動作において、設定実行部２４は、ウェブブラウザー２２の機能を利用してもよい。すなわち、ウェブブラウザー２２がプロジェクター１００にアクセスして設定用のウェブページのデータをダウンロードし、この設定用のウェブページに基づき探索結果画面２０１やオプション設定画面２１１を表示制御部２７により表示させてもよい。
【００５３】
設定実行部２４は、探索結果画面２０１、及び、オプション設定画面２１１に対するホストユーザーの操作により設定された内容を取得し、設定された内容に対応する機能設定データ１４２または機能設定データ１４３を生成する。
機能設定データ１４２、１４３は、例えば、付加設定部２０７に表示される項目を示すデータと、各項目のチェックボックスにおけるチェックの有無を示すフラグとを対応付けて含む。また、例えば、機能設定データ１４２、１４３は、設定表示部２１２に表示される項目を示すデータと、各項目のチェックボックス２１３におけるチェックの有無を示すフラグとを対応付けて含む。また、例えば、機能設定データ１４２、１４３は、設定表示部２１４に表示される項目のうちラジオボタン２１５で選択された設定を示すデータを含む。
【００５４】
機能設定データ１４２はソリューションＡのＰＣ２Ａ、３Ａがプロジェクター１００に接続する場合の設定に関するデータである。また、機能設定データ１４３は、ソリューションＢのＰＣ２Ｂ、３Ｂがプロジェクター１００に接続する場合の設定に関するデータである。従って、ＰＣ２Ａに対するホストユーザーの操作により、探索結果画面２０１、及びオプション設定画面２１１で設定が行われた場合、ＰＣ２Ａの設定実行部２４は、機能設定データ１４２を生成する。そして、ＰＣ２Ａは、生成した機能設定データ１４２をプロジェクター１００に送信して、記憶部１４０に記憶させる。ここで、設定実行部２４は、生成した機能設定データ１４２を記憶部３０に記憶してもよい。
また、ＰＣ２Ｂに対するホストユーザーの操作により、探索結果画面２０１、及びオプション設定画面２１１で設定が行われた場合、ＰＣ２Ｂの設定実行部２４は、機能設定データ１４３を生成する。ＰＣ２Ｂは、生成した機能設定データ１４３をプロジェクター１００に送信して、記憶部１４０に記憶させる。ここで、設定実行部２４は、生成した機能設定データ１４３を記憶部３０に記憶してもよい。
【００５５】
また、設定実行部２４は、機能設定データ１４２、機能設定データ１４３を生成する際に、接続設定データ１４４を参照可能な情報を、機能設定データ１４２、１４３に付加する処理を行う。つまり、ＰＣ２Ａの設定実行部２４は、接続設定データ１４４を参照可能な情報を有する機能設定データ１４２を生成し、ＰＣ２Ｂの設定実行部２４は、接続設定データ１４４を参照可能な情報を有する機能設定データ１４３を生成する。
【００５６】
接続設定データ１４４を参照可能な情報とは、記憶部１４０に記憶された接続設定データ１４４を特定する情報を含む。例えば、プロジェクター１００の記憶部１４０における接続設定データ１４４のファイルパス等である。この情報は、機能設定データ１４２、１４３に埋め込まれてもよいし、機能設定データ１４２、１４３のメタデータとして付加されてもよい。
これにより、例えば、ＰＣ３Ａが、記憶部１４０に記憶された機能設定データ１４２を参照した場合に、機能設定データ１４２に付加される上記の情報（ファイルパス等）を参照できる。このＰＣ３Ａは、参照したファイルパス等に従って、記憶部１４０に記憶された接続設定データ１４４を参照し、取得できるので、接続設定データ１４４を用いた設定を行える。接続設定データ１４４による設定は、機能設定データ１４２に基づき機能設定を行う前に、行うことができる。
【００５７】
機能設定データ１４３についても同様である。ＰＣ３Ｂが、記憶部１４０に記憶された機能設定データ１４３を参照した場合に、機能設定データ１４３に付加される上記の情報（ファイルパス等）を参照できる。このＰＣ３Ｂは、参照したファイルパス等に従って、記憶部１４０に記憶された接続設定データ１４４を参照し、取得して、接続設定データ１４４を用いた設定を行うことができる。
【００５８】
画像データ送受信部２５は、ＰＣ２がプロジェクター１００に接続して、プロジェクター１００に画像データを送信する場合に、画像データを送信する処理を実行する。画像データ送受信部２５は、通信部２８を制御して、記憶部３０に記憶した画像データ３５を読み出してプロジェクター１００に送信する。また、画像データ送受信部２５は、画像データ３５のデータフォーマット、解像度、フレームレート等を、プロジェクター１００に送信する目的に適した態様に変換し、或いは調整する処理を行って、通信部２８で送信してもよい。
【００５９】
また、ＰＣ３は、ＰＣ２と同様、制御部２０Ａ、入力部２６、表示制御部２７、通信部２８、及び記憶部３０を備え、これらの各部はバス２９に接続される。図２（Ｂ）のＰＣ３の構成は、ＰＣ３Ａ、及びＰＣ３Ｂに共通する。
制御部２０Ａは、制御部２０と同様に、ＣＰＵ等のプロセッサー、不揮発性のＲＯＭ、一時記憶領域を形成するＲＡＭを備える。制御部２０Ａのプロセッサーは、ＲＯＭが記憶する基本制御プログラムを実行することにより、ＰＣ３を制御する。この場合、制御部２０Ａのプロセッサーは、プログラムを実行してＰＣ３を制御するコンピューターに相当する。
【００６０】
ＰＣ３において、入力部２６、表示制御部２７、通信部２８及び記憶部３０の構成はＰＣ２と共通であるため、同符号を付して説明を省略する。
【００６１】
制御部２０Ａのプロセッサーは、記憶部３０が記憶する各種のプログラムを実行することにより、オペレーティングシステム２１、ウェブブラウザー２２、メッセージ処理部２３、設定実行部２４Ａ、及び画像データ送受信部２５として機能する。このうちオペレーティングシステム２１、ウェブブラウザー２２、メッセージ処理部２３及び画像データ送受信部２５の機能はＰＣ２と同様である。
【００６２】
ＰＣ３のウェブブラウザー２２は、入力部２６に対する操作等により指定されるＵＲＬに基づき、プロジェクター１００にアクセスし、プロジェクター１００が記憶する機能設定データ１４２又は機能設定データ１４３をダウンロードする。設定実行部２４Ａは、ウェブブラウザー２２によりダウンロードされた機能設定データ１４２、または機能設定データ１４３に基づき、プロジェクター１００との間で実行する処理内容または機能に関する設定を行う。
【００６３】
例えば、ＰＣ３Ａのウェブブラウザー２２は、プロジェクター１００から機能設定データ１４２をダウンロードし、ダウンロードされた機能設定データ１４２を設定実行部２４Ａが参照する。ここで、設定実行部２４Ａは、機能設定データ１４２に含まれる情報（パス等）に基づき、プロジェクター１００が記憶する接続設定データ１４４を取得する。設定実行部２４Ａは、接続設定データ１４４に基づいて、プロジェクター１００との間の通信を実行するための設定を行う。その後、設定実行部２４Ａは、機能設定データ１４２に基づいて機能設定を行う。画像データ送受信部２５は、設定実行部２４Ａによる設定に従って、プロジェクター１００に対して画像データ３５を送信し、プロジェクター１００に画像を表示させる。ＰＣ３Ｂは、機能設定データ１４３をダウンロードし、その後はＰＣ３Ａと同様の処理を行う。
【００６４】
ＰＣ３のメッセージ処理部２３は、ＰＣ２から送信されるメッセージを受信して、表示制御部２７により表示させる。ここで、ＰＣ３では、表示されたメッセージに含まれるＵＲＬ等の情報を入力部２６の操作によって選択できる。この場合、選択されたＵＲＬ等の情報に基づきウェブブラウザー２２がプロジェクター１００にアクセスする。従って、ＰＣ３Ａに対し、ＰＣ２Ａが、機能設定データ１４２にアクセスするＵＲＬを含むメッセージを送信すると、ＰＣ３Ａのウェブブラウザー２２により速やかに機能設定データ１４２をダウンロードできる。また、ＰＣ２Ｂが機能設定データ１４３のＵＲＬを含むメッセージをＰＣ３Ｂに送信すると、ＰＣ３Ｂのウェブブラウザー２２が機能設定データ１４３をダウンロードできる。この場合、ＰＣ３Ａ、３Ｂを操作するゲストユーザーは、ＵＲＬを入力することなく、機能設定データ１４２、１４３へアクセスできる。
【００６５】
ＰＣ２が備える画像データ送受信部２５、及びＰＣ３が備える画像データ送受信部２５は、プロジェクター１００が送信する画像データを受信し、記憶部３０に記憶する。制御部２０は、例えば入力部２６の操作に従って、記憶部３０に記憶される画像データを表示制御部２７に表示させ、或いは、プロジェクター１００に送信して投射させる。
【００６６】
図４は、プロジェクター１００の構成を示す機能ブロック図である。プロジェクター１００は、ＰＣ２、３から入力される画像データに基づき、画像をスクリーンＳＣに投射する。プロジェクター１００は、ＰＣ２、３の他に、ビデオ再生装置、ＤＶＤ（Digital Versatile Disk）再生装置、テレビチューナー装置、ＣＡＴＶ（Cable television）のセットトップボックス、ビデオゲーム装置等の画像供給装置に接続されてもよい。この場合、これらの画像供給装置から入力される画像データに基づき、プロジェクター１００が画像を投射する。
【００６７】
プロジェクター１００の設置状態は、スクリーンＳＣの前方に床置きした床置き設置としてもよいし、又は天井から吊り下げた天吊り設置としてもよい。なお、床置き設置の場合には、床に設置した台の上にプロジェクター１００を置く、台置き設置としてもよい。また、投射先は、建物や物体など、一様に平らではない物体であってもよいし、スクリーンＳＣ（表示面）や、建物の壁面等の平らな投射面を有するものであってもよい。本実施形態では平面のスクリーンＳＣに投射する場合を例示する。
【００６８】
プロジェクター１００は、画像入力部１４５を備える。画像入力部１４５は、ケーブルを接続するコネクター及びインターフェイス回路（図示略）を備え、上述した画像供給装置（ＰＣ２、３を除く）に接続される。画像入力部１４５が備えるインターフェイスは、例えば、Ｅｔｈｅｒｎｅｔ（登録商標）、ＩＥＥＥ１３９４、ＵＳＢ等のデータ通信インターフェイスであってもよい。また、インターフェイスは、ＭＨＬ（登録商標）、ＨＤＭＩ（登録商標）、ＤｉｓｐｌａｙＰｏｒｔ等の画像データ用のインターフェイスであってもよい。
【００６９】
プロジェクター１００は、光学的な画像の形成を行い、スクリーンＳＣに画像を投射（表示）する投射部１１０（表示部）を備える。
投射部１１０は、光源１１１、光変調装置１１２及び投射光学系１１３を有する。光源１１１は、キセノンランプ、超高圧水銀ランプ、ＬＥＤ（Light Emitting Diode）、或いはレーザー光源等からなる光源を備える。また、光源１１１は、光源が発した光を光変調装置１１２に導くリフレクター及び補助リフレクターを備えていてもよい。さらに、投射光の光学特性を高めるためのレンズ群、偏光板、或いは光源が発した光の光量を光変調装置１１２に至る経路上で低減させる調光素子等（いずれも図示略）を備えてもよい。
【００７０】
光変調装置１１２は、例えばＲＧＢの三原色に対応した、３枚の透過型液晶パネルを備え、これらの液晶パネルを透過する光を変調して画像光を生成する。光源１１１が発する光はＲＧＢの３色の色光に分離され、各色光は対応する各液晶パネルに入射する。各液晶パネルを通過して変調された色光はクロスダイクロイックプリズム等の合成光学系によって合成され、投射光学系１１３に射出される。
【００７１】
投射光学系１１３は、光変調装置１１２により変調された画像光をスクリーンＳＣ方向へ投射して、スクリーンＳＣ上に結像させるレンズ等の光学系である。また、投射光学系１１３は、スクリーンＳＣの投射画像の拡大・縮小及び焦点の調整を行うズーム機構、フォーカスの調整を行うフォーカス調整機構を備えていてもよい。
【００７２】
投射部１１０は、制御部１３０の制御に従って光源１１１を点灯及び消灯する光源駆動部１２１、及び制御部１３０の制御に従って光変調装置１１２を動作させる光変調装置駆動部１２２に接続する。光源駆動部１２１は、光源１１１の光量を調整する機能を備えてもよい。
【００７３】
プロジェクター１００は、画像データを処理する画像処理系を備える。この画像処理系は、制御部１３０、記憶部１４０、画像入力部１４５、及び、画像処理部１４９を含み、入力検出部１５３を含んでもよく、光源駆動部１２１、光変調装置駆動部１２２を含んでもよい。画像処理系を構成する各部は内部バス１８０により相互にデータ通信可能に接続される。また、画像処理部１４９にはフレームメモリー１４８が接続される。フレームメモリー１４８及びその他のデータ処理部を画像処理系に含めてもよい。
【００７４】
プロジェクター１００は、通信部１４６を備える。通信部１４６は、内部バス１８０を介して制御部１３０に接続される。通信部１４６は、ネットワーク５に接続され、有線または無線のデータ通信を実行する。通信部１４６は、モジュラケーブル等を接続可能なコネクター及び有線通信インターフェイス回路を含む有線通信インターフェイスであってもよい。また、通信部１４６は、図示しないアンテナやＲＦ（Radio Frequency）回路等を含む無線通信インターフェイスであってもよい。通信部１４６は、ネットワーク５に接続され、制御部１３０の制御に従ってネットワーク５を介したデータ通信を実行する。
通信部１４６は、制御部１３０の制御に従ってネットワーク５を介してデータを送受信する。通信部１４６は、ネットワーク５から受信したデータを、制御部１３０に出力する。制御部１３０は、通信部１４６によりＰＣ２、３から画像データを受信した場合、受信した画像データを画像処理部１４９に出力し、画像データに基づく画像を投射部１１０により投射させる。
【００７５】
制御部１３０は、不図示のＣＰＵ、ＲＡＭ、ＲＯＭ等を備え、ＲＯＭ又は記憶部１４０に記憶した制御プログラムを実行して、プロジェクター１００の各部を制御する。制御部１３０は、制御プログラムを実行することにより、投射制御部１３１、通信制御部１３２、設定データ制御部１３３、及び撮像制御部１３４として機能する。これらのブロックが行う処理については後述する。この場合、制御部１３０のＣＰＵは、プログラムを実行してプロジェクター１００を制御するコンピューターに相当する。
【００７６】
記憶部１４０は、磁気的記憶媒体や半導体記憶素子を備え、プログラムやデータを記憶する不揮発性の記憶装置である。記憶部１４０は、制御部１３０が実行する制御プログラム、及び制御部１３０が処理するデータを不揮発的に記憶する。記憶部１４０は、接続用プログラム１４１、機能設定データ１４２、機能設定データ１４３、及び接続設定データ１４４を記憶する。接続用プログラム１４１は、ＰＣ２、３が実行するプログラムであり、予め記憶部１４０に記憶され、ＰＣ２、３のアクセスに応じてダウンロードされる。機能設定データ１４２、１４３は、上述のようにＰＣ２により生成され、記憶部１４０に記憶される。接続設定データ１４４は、例えばプロジェクター１００のＩＰアドレス等を含み、予め記憶部１４０に記憶される。
【００７７】
画像処理部１４９は、制御部１３０の制御に従って、画像供給装置（図示略）から画像入力部１４５に入力される画像データ、または通信部１４６がＰＣ２、３から受信する画像データを処理する。画像処理部１４９が実行する処理は、例えば、スケーリング、リサイズ、幾何補正、拡大／縮小、色調補正、輝度補正等の処理である。画像処理部１４９は、制御部１３０により指定された処理を実行し、必要に応じて、制御部１３０から入力されるパラメーターを使用して処理を行う。また、上記のうち複数の処理を組み合わせて実行することも勿論可能である。
画像処理部１４９は、処理後の画像データをフレームメモリー１４８に展開する。画像処理部１４９は、フレームメモリー１４８に展開した画像データに基づき、表示画像データを光変調装置駆動部１２２に出力する。
【００７８】
光変調装置駆動部１２２は、光変調装置１１２の液晶パネルに接続される。光変調装置駆動部１２２は、画像処理部１４９から入力される表示画像データに基づきＲ、Ｇ、Ｂの画像信号を生成し、生成した画像信号に基づいて液晶パネルを駆動して各液晶パネルに画像を描画する。
【００７９】
投射制御部１３１（表示制御部）は、プロジェクター１００の各部を制御して、スクリーンＳＣへの画像の投射を実行する。投射制御部１３１は、画像処理部１４９を制御して、画像データに対する処理を実行させる。ここで、投射制御部１３１は、画像処理部１４９が実行する処理に必要なパラメーターを、記憶部１４０から読み出して画像処理部１４９に出力してもよい。また、投射制御部１３１は、光源駆動部１２１を制御して光源１１１を点灯させ、光源１１１の輝度を調整させる。これにより、光源１１１が発光し、光変調装置１１２が変調する画像光が投射光学系１１３によりスクリーンＳＣに投射される。
【００８０】
通信制御部１３２は、通信部１４６を制御してデータ通信を実行させる。また、通信制御部１３２は、ネットワーク５を介して接続されるＰＣ２の設定実行部２４により、設定を要求するアクセスがあった場合、このアクセスに応答する。
【００８１】
設定データ制御部１３３は、通信部１４６を介してＰＣ２、３とデータを送受信することにより、ＰＣ２、３及びプロジェクター１００における設定に関するデータを制御する。設定データ制御部１３３は、ＰＣ２が送信する機能設定データ１４２または機能設定データ１４３を受信して、記憶部１４０に記憶する。
設定データ制御部１３３は、ＰＣ２、３のウェブブラウザー２２が機能設定データ１４２、１４３または接続設定データ１４４を要求した場合、この要求に応答して、機能設定データ１４２、１４３または接続設定データ１４４を送信する。
【００８２】
また、プロジェクター１００は、スクリーンＳＣを含む範囲を撮像するカメラ１５４を備える。カメラ１５４の撮像範囲（画角）は、スクリーンＳＣに対し投射光学系１１３が画像を投射する画像投射範囲の一部、または全部を含む。例えば、プロジェクター１００は、画像供給装置（図示略）から画像入力部１４５に入力される画像データに基づきプロジェクター１００が画像を投射する場合に、スクリーンＳＣ上の投射画像をカメラ１５４により撮像できる。
【００８３】
撮像制御部１３４は、ＰＣ２、３や画像供給装置（図示略）から要求されるタイミング、予め設定されたタイミング、或いは、プロジェクター１００の操作により指定されるタイミングで、カメラ１５４により撮像を実行させる。撮像制御部１３４は、カメラ１５４の撮像画像データを、通信部１４６によりＰＣ２、３に送信する。ここで、撮像制御部１３４は、予め機能設定データ１４２、１４３によって画像の送信を行う相手先として設定されたＰＣ２、３に対し、撮像画像データを送信する。
【００８４】
図５は、表示システム１の動作を示すフローチャートであり、表示システム１における機能の設定に係る設定方法を示す。図５（Ａ）はＰＣ３の動作を示し、（Ｂ）はＰＣ２の動作を示し、（Ｃ）はプロジェクター１００の動作を示す。図５では、ソリューションＡに属するＰＣ２Ａ、３Ａの動作を一例として示すが、ソリューションＢに属するＰＣ２Ｂ、３Ｂも同様に動作を行うことが可能である。
【００８５】
ホストユーザーがＰＣ２Ａを操作して、設定を指示する入力を行い（ステップＳ１１）、プロジェクター１００に接続する接続用の情報を入力する（ステップＳ１２）。接続用の情報は、複数段階で入力されてもよい。すなわち、プロジェクター１００の探索を指示する入力に応じて、ＰＣ２Ａの制御部２０がプロジェクター１００を探索して図３（Ａ）の探索結果画面２０１を表示する。続いて、探索結果画面２０１でプロジェクター１００を選択する入力が行われると、この入力に応答してＰＣ２Ａがプロジェクター１００に接続する。この探索結果画面２０１の表示の前後の入力が、ステップＳ１２における接続用情報の入力に相当する。
【００８６】
ＰＣ２Ａは、入力された情報に従ってプロジェクター１００にアクセスし（ステップＳ１３）、ＰＣ２Ａとプロジェクター１００とが相互にデータ通信可能に接続する（ステップＳ１３、Ｓ２１）。この状態は、例えば、ＰＣ２Ａがオプション設定画面２１１を表示する状態である。
【００８７】
ＰＣ２Ａは、入力部２６の操作に従って設定を実行し、機能設定データ１４２を生成してプロジェクター１００に送信する（ステップＳ１４）。プロジェクター１００は、ＰＣ２Ａが送信する機能設定データ１４２を受信し、記憶部１４０に記憶する（ステップＳ２２）。
ＰＣ２Ａは、記憶部１４０に記憶された機能設定データ１４２にアクセスするための取得用情報を取得する（ステップＳ１５）。取得用情報は、ＰＣ３Ａがネットワーク５を経由して機能設定データ１４２を参照するために必要な情報である。具体的には、ネットワーク５においてプロジェクター１００を特定し、プロジェクター１００が記憶するデータのうち機能設定データ１４２を特定するための情報（例えば、記憶部１４０における機能設定データ１４２のファイルパス及びファイル名）を含む。プロジェクター１００がファイルサーバー機能やウェブサーバー機能を有している場合、ＰＣ２Ａが取得する取得用情報は、ＵＲＬとすることができる。
【００８８】
ＰＣ２Ａは、入力部２６の操作に従って、メッセージ処理部２３の機能により、ステップＳ１６で取得した取得用情報であるＵＲＬを含むメッセージを生成し、ＰＣ３Ａに送信する（ステップＳ１６）。
【００８９】
ＰＣ３Ａは、メッセージ処理部２３の機能により、ＰＣ２Ａからメッセージを受信して、受信したメッセージの内容を表示制御部２７により表示する（ステップＳ３１）。
ここで、ＰＣ３Ａを操作するゲストユーザーは、入力部２６を操作して、メッセージに含まれるＵＲＬへのアクセスを指示する入力を行う（ステップＳ３２）。ＰＣ３Ａは、入力に従って、メッセージに含まれるＵＲＬに基づき、プロジェクター１００が記憶する機能設定データ１４２にアクセスする（ステップＳ３３）。プロジェクター１００は、ＰＣ３Ａのアクセスを受け付けて（ステップＳ２３）、機能設定データ１４２を送信する（ステップＳ２４）。ＰＣ３Ａは、プロジェクター１００から機能設定データ１４２を受信する（ステップＳ３４）。ＰＣ３Ａは、受信した機能設定データ１４２に含まれる情報（接続設定データ１４４のパス等）に従って、プロジェクター１００に対し接続設定データ１４４を要求する（ステップＳ３５）。
【００９０】
プロジェクター１００は、ＰＣ３Ａの要求を受け付けて（ステップＳ２５）、接続設定データ１４４をＰＣ３Ａに送信する（ステップＳ２６）。
ＰＣ３Ａは、プロジェクター１００から送信される接続設定データ１４４を受信する（ステップＳ３６）。ＰＣ３Ａは、接続設定データ１４４に従ってプロジェクター１００と通信するための設定を行い、機能設定データ１４２に従って機能設定を行う（ステップＳ３７）。
【００９１】
この図５に示す動作により、ＰＣ２Ａ、及び、ＰＣ３Ａは、プロジェクター１００との間のデータ通信に関する設定を行い、設定に従って通信を行うことが可能になる。また、ソリューションＢに属するＰＣ２Ｂ、及びＰＣ３Ｂも同様の動作を実行できる。
ＰＣ３Ａを操作するゲストユーザーは、ＰＣ２Ａから送信されるメッセージに含まれる取得用情報（例えば、ＵＲＬ）を指定する操作を行うだけで、ホストユーザーがＰＣ２Ａを操作して設定した内容を反映した、機能設定を行うことができる。
【００９２】
さらに、プロジェクター１００は、記憶部１４０に、ソリューションＡに対応する機能設定データ１４２、及び、ソリューションＢに対応する機能設定データ１４３を記憶する。この状態で、ＰＣ３Ａは、ゲストユーザーの操作に従って、ＰＣ３Ａに対応する機能設定データ１４２を取得し設定できる。このように、ゲストユーザーは、簡単な操作により、複数の機能設定データの中から適切な機能設定データを選択し取得できる。従って、設定内容が異なる複数のグループ（ソリューション）のＰＣがプロジェクター１００にアクセスする環境において、誤った設定が行われることがなく、確実な設定を行える。
【００９３】
また、ＰＣ３は、機能設定データ１４２、１４３に含まれる情報に基づいて接続設定データ１４４を取得し参照して、プロジェクター１００との通信に係る設定を行う。これにより、接続設定データ１４４を利用する設定と、機能設定データ１４２、１４３を利用する機能設定とを、少ない回数の操作に従って実行できる。従って、ＰＣ３を操作するゲストユーザーの操作の負担を、より一層軽減でき、習熟度の低いユーザーであってもＰＣ３を使ってプロジェクター１００を利用できる。
【００９４】
また、表示システム１では、ＰＣ２、３をプロジェクター１００に接続する際に必要な情報である接続設定データ１４４と、機能設定に関する情報である機能設定データ１４２、１４３とを分けて、記憶部１４０に記憶する。これにより、表示システム１が複数のソリューション（ソリューションＡ、Ｂ）を構成する場合に、ソリューション毎に異なる情報と、複数のソリューションに共通する情報とを効率よく管理できる。従って、表示システム１において複数のソリューションを設定する場合の管理効率の向上を図ることができる。
【００９５】
図５に示す設定方法において、記憶部１４０が記憶する機能設定データ１４２、１４３を、ＰＣ２Ａ、２Ｂまたはプロジェクター１００の制御により、消去または破棄してもよい。例えば、ＰＣ２Ａ、２Ｂが機能設定データ１４２、１４３を生成してから、予め設定された時間が経過した場合に、プロジェクター１００が、機能設定データ１４２、１４３を消去してもよい。また、例えば、ＰＣ２Ａ、２Ｂが機能設定データ１４２、１４３を生成してから、予め設定された時間が経過した場合に、ＰＣ２Ａ、２Ｂがプロジェクター１００に対し、機能設定データ１４２、１４３の消去を要求してもよい。また、例えば、ＰＣ２Ａが機能設定データ１４２を生成する際に、それ以前に生成された機能設定データ１４２を削除してもよい。このように、機能設定データ１４２、１４３が、生成された後に所定のタイミングで削除される構成とすれば、実質的に、ＰＣ２がＰＣ３に送信するメッセージに含まれるＵＲＬ等に、有効期限が設けられる。これにより、古い機能設定データ１４２、１４３へのアクセスを防ぐことができるので、ＰＣ３が古い機能設定データ１４２、１４３に基づき適正でない機能設定を行うことを防止できる。
【００９６】
以上詳細に説明したように、表示システム１は、ＰＣ２Ａ、２Ｂ、ＰＣ３Ａ、３Ｂ及びプロジェクター１００を含む通信システムである。プロジェクター１００は、ＰＣ２Ａ、２Ｂ及びＰＣ３Ａ、３Ｂのそれぞれと通信する通信部１４６を備え、ＰＣ２Ａ、２Ｂは、通信を行う通信部２８と、入力を受け付ける入力部２６とを備える。また、ＰＣ２Ａ、２Ｂは、制御部２０を備える。制御部２０は、入力部２６で受け付ける入力に従って、ＰＣ３Ａ、３Ｂとプロジェクター１００とが通信して実行する機能を定める機能設定データ１４２、１４３を生成し、又はプロジェクター１００に生成させる。制御部２０は、入力部２６で受け付ける入力に従って、機能設定データ１４２、１４３にアクセスする際に使用される取得用情報を通信部２８によりＰＣ３Ａ、３Ｂに送信する。ＰＣ３Ａ、３Ｂは、通信を行う通信部２８と、制御部２０とを備える。ＰＣ３Ａ、３Ｂの制御部２０は、通信部２８により取得用情報を受信した場合に、取得用情報に基づいて機能設定データ１４２、１４３を取得する。制御部２０は、機能設定データ１４２、１４３に基づいてプロジェクター１００との接続設定に用いる接続設定データ１４４を取得し、接続設定データ１４４に基づき接続設定を行う。また、機能設定データ１４２、１４３に基づきプロジェクター１００との間で実行する処理を設定する。
【００９７】
表示システム１で、ＰＣ２Ａ、２Ｂは、ＰＣ３Ａ、３Ｂ及びプロジェクター１００と通信可能な通信部２８と、入力を受け付ける入力部２６とを備える。ＰＣ２Ａ、２Ｂは、制御部２０を備える。制御部２０は、入力部２６で受け付ける入力に従って、ＰＣ３Ａ、３Ｂとプロジェクター１００とが通信して実行する機能を定める機能設定データ１４２、１４３を生成し、又はプロジェクター１００に生成させる。制御部２０は、入力部２６で受け付ける入力に従って、機能設定データ１４２、１４３にアクセスする際に使用される取得用情報を通信部２８によりＰＣ３Ａ、３Ｂに送信する。
【００９８】
また、表示システム１で、ＰＣ３Ａ、３Ｂは、通信を行う通信部２８と、制御部２０とを備える。ＰＣ３Ａ、３Ｂの制御部２０は、通信部２８により取得用情報を受信した場合に、取得用情報に基づいて機能設定データ１４２、１４３を取得する。制御部２０は、機能設定データ１４２、１４３に基づいてプロジェクター１００との接続設定に用いる接続設定データ１４４を取得することができる。制御部２０は、取得した接続設定データ１４４に基づき接続設定を行い、機能設定データ１４２、１４３に基づきプロジェクター１００との間で実行する処理を設定する。
【００９９】
これにより、表示システム１では、ＰＣ２Ａ、２Ｂ及びＰＣ３Ａ、３Ｂをプロジェクター１００に接続する際に、ホストユーザーが操作するＰＣ２Ａ、２Ｂによって、ＰＣ３Ａ、３Ｂとプロジェクター１００とが通信して実行する機能の設定を行う。この設定を利用して、ゲストユーザーが操作するＰＣ３Ａ、３Ｂをプロジェクター１００に接続させることができる。これにより、ＰＣ２Ａ、２Ｂがプロジェクター１００に接続した後に、他の端末装置を容易にプロジェクター１００に接続できる。従って、プロジェクター１００と端末装置とを接続し設定する操作の負担を軽減できる。
【０１００】
また、表示システム１は、機能設定データ１４２、１４３及び接続設定データ１４４を記憶する記憶部１４０を備える。取得用情報は、記憶部１４０に記憶される機能設定データ１４２、１４３を特定するパス等の情報を含む。機能設定データ１４２、１４３は、記憶部１４０に記憶される接続設定データ１４４を特定するパス等の情報を含む。
また、プロジェクター１００の記憶部１４０は、機能設定データ１４２、１４３、及び、接続設定データ１４４を記憶する。機能設定データ１４２及び機能設定データ１４３のそれぞれは、記憶部１４０に記憶される接続設定データ１４４を特定するパス等の情報を含む。
また、プロジェクター１００は、ＰＣ２Ａ、２Ｂにおける入力に従って生成される機能設定データ１４２、１４３を記憶部１４０に記憶し、接続設定データ１４４を記憶部１４０に記憶し、機能設定データ１４２、１４３の取得用情報をＰＣ２Ａ、２Ｂに送信する。ＰＣ２Ａ、２Ｂの制御部２０は、プロジェクター１００から送信される取得用情報をＰＣ３Ａ、３Ｂに送信する。
また、ＰＣ２Ａ、２Ｂの制御部２０は、入力部２６が受け付ける入力に従って機能設定データ１４２、１４３を生成し、取得用情報を生成し、取得用情報をＰＣ３Ａ、３Ｂに送信する。
これにより、ＰＣ３が、機能設定データ１４２、１４３及び接続設定データ１４４に容易にアクセスし、容易に設定を行える。
【０１０１】
また、機能設定データ１４２、１４３は、プロジェクター１００とＰＣ３Ａ、３Ｂとが実行可能な機能のうち一部の機能を実行し、或いは、実行を制限するよう設定する内容を含む機能設定の情報である。これにより、プロジェクター１００に接続するＰＣ３Ａ、３Ｂの機能に関する設定を、容易に行うことができる。
【０１０２】
なお、上述した実施形態は、本発明の好適な実施形態を示すものであり、本発明を限定するものではなく、本発明の要旨を逸脱しない範囲内において種々の変形実施が可能である。
例えば、上記実施形態では、機能設定データ１４２、機能設定データ１４３、及び接続設定データ１４４を、プロジェクター１００の記憶部１４０に記憶する構成とした。本発明はこれに限定されず、機能設定データ１４２、１４３及び接続設定データ１４４を記憶する記憶部は、ＰＣ３によりネットワーク５を介してアクセス可能であればよい。例えば、ファイルサーバーやウェブサーバーとして機能するサーバー装置（図示略）を設け、このサーバー装置をネットワーク５に接続してもよい。この構成において、サーバー装置（図示略）が備えるストレージを上記記憶部として、機能設定データ１４２、１４３、及び接続設定データ１４４を記憶してもよい。また、上記記憶部を、特定のサーバー装置に限定されないクラウドストレージとして実現してもよい。
【０１０３】
また、ＰＣ３が機能設定データ１４２、１４３にアクセスするためにＰＣ２が送信する取得用情報は、記憶部１４０における機能設定データ１４２、１４３のＵＲＬに限らない。例えば、他のサーバー装置（図示略）またはクラウドストレージに、機能設定データ１４２、１４３のＵＲＬを記憶し、当該ＵＲＬにアクセスするための情報を取得用情報としてＰＣ２からＰＣ３に送信してもよい。また、取得用情報は、認証用の情報を含んでもよく、機能設定データ１４２、１４３及び接続設定データ１４４を記憶する装置が、取得用情報に基づきＰＣ３を認証してもよい。
【０１０４】
また、ＰＣ２がＰＣ３に送信するメッセージは、メッセージサーバー６が中継して送受信する形態のメッセージであれば特に限定されず、電子メール、チャットメール、或いは、ＳＮＳ（Social Network Service）のメッセージングサービスであってもよい。また、メッセージサーバー６を用いずに、ＰＣ２とＰＣ３とが直接接続して、メッセージを送受信してもよい。また、ＰＣ２がＰＣ３に送信するメッセージをプロジェクター１００が中継してもよい。当該メッセージの具体的態様、及び、メッセージに含まれる取得用情報の態様等は任意に変更可能である。
【０１０５】
また、本発明の表示装置は、透過型液晶パネルを用いた液晶プロジェクターとして説明したが、反射型の液晶パネルやデジタルミラーデバイスを用いたプロジェクターであってもよい。また、スクリーンＳＣに画像を投射するプロジェクターに限定されず、液晶表示パネルに画像を表示する液晶モニター又は液晶テレビ、或いは、ＰＤＰ（プラズマディスプレイパネル）に画像を表示するモニター装置又はテレビ受像機、ＯＬＥＤ（Organic light-emitting diode）、ＯＥＬ（Organic Electro-Luminescence）等と呼ばれる有機ＥＬ表示パネルに画像を表示するモニター装置又はテレビ受像機等の自発光型の表示装置など、各種の表示装置も本発明の表示装置に含まれる。
【０１０６】
また、図２及び図４に示したプロジェクター１００及びＰＣ２、３の各機能部は、ハードウェアとソフトウェアとの協働により実現される機能的構成を示すものであって、具体的な実装形態は特に制限されない。例えば、上記実施形態で説明したＰＣ２、ＰＣ３、プロジェクター１００の動作をプログラムとして実現することも可能である。この場合、ＰＣ２の制御部２０を構成するプロセッサー、ＰＣ３の制御部２０Ａを構成するプロセッサー、及び、プロジェクター１００の制御部１３０が有するＣＰＵがプログラムを実行することにより、上述した表示システム１における設定方法を実現してもよい。これらのプロセッサー及びＣＰＵは、プログラムを実行してＰＣ２、３あるいはプロジェクター１００を制御するコンピューターに相当する。このように、必ずしも各機能部に個別に対応するハードウェアが実装される必要はなく、一つのプロセッサーがプログラムを実行することで複数の機能部の機能を実現する構成とすることも勿論可能である。また、上記実施形態においてソフトウェアで実現されている機能の一部をハードウェアで実現してもよく、あるいは、ハードウェアで実現されている機能の一部をソフトウェアで実現してもよい。その他、表示システム１の他の各部の具体的な細部構成についても、本発明の趣旨を逸脱しない範囲で任意に変更可能である。
【符号の説明】
【０１０７】
１…表示システム（通信システム）、２、２Ａ、２Ｂ…ＰＣ（端末装置、第１端末装置、外部装置）、３、３Ａ、３Ｂ…ＰＣ（端末装置、第２端末装置、外部端末装置）、５…ネットワーク、２０、２０Ａ…制御部（第１制御部、第２制御部）、２４、２４Ａ…設定実行部、２６…入力部（入力受付部）、２７…表示制御部、２８…通信部（第１通信部、第２通信部）、３０…記憶部、３２…接続用プログラム、１００…プロジェクター（表示装置、通信装置）、１１０…投射部（表示部）、１１１…光源、１３０…制御部、１３１…投射制御部、１３２…通信制御部、１３３…設定データ制御部、１３４…撮像制御部、１４０…記憶部、１４１…接続用プログラム、１４２…機能設定データ（機能設定情報、第１の機能設定情報）、１４３…機能設定データ（機能設定情報、第２の機能設定情報）、１４４…接続設定データ（接続設定情報）、１４６…通信部、ＳＣ…スクリーン。
【図１】
2017076077.tif 000003
【図２】
2017076077.tif 000004
【図３】
2017076077.tif 000005
【図４】
2017076077.tif 000006
【図５】
2017076077.tif 000007